(57)【特許請求の範囲】
【請求項１】
ソール、クラウン、本体ヒール端、本体トゥ端、本体前端、および本体後端を備える本体と、
前記本体の本体部分に位置する溝特徴部と、を備え、
前記本体部分は、前記ソールまたは前記クラウンのうちの一方を備え、
前記溝特徴部は、
溝を備える内側溝部分と、
前記本体部分から突出され、前記内側溝部分の境界となる補強構造と、を備え、
前記補強構造は、
前記内側溝部分と隣接する補強内側周辺部と、
前記補強内側周辺部と反対の補強外側周辺部と、
前記補強内側周辺部と前記補強外側周辺部との間で突出される補強頂部と、を備え、
前記本体部分は、
前記本体部分の外部本体輪郭を画定する本体部分外面と、
前記補強外側周辺部の外側に位置し、前記外部本体輪郭に垂直に測定される最小外側厚さと、を備え、
前記溝特徴部は、
前記外部本体輪郭に垂直に、前記補強頂部から前記外部本体輪郭において測定される補強厚さと、
前記補強厚さに垂直に、前記補強内側周辺部と前記補強外側周辺部との間で測定される補強寸法と、を備え、
前記補強構造は、前記最小外側厚さを越えて前記本体内部に突出し、
前記補強構造は、前記内側溝部分を越えて前記本体内部に突出し、
前記補強寸法は、前記最小外側厚さより少なくとも１．５倍大きく、
前記補強構造は、前記溝を連続的に包囲する、ゴルフクラブヘッド。
【請求項２】
ソール、クラウン、本体ヒール端、本体トゥ端、本体前端、および本体後端を備える本体と、
前記本体の本体部分に位置する溝特徴部と、を備え、
前記本体部分は、前記ソールまたは前記クラウンのうちの一方を備え、
前記溝特徴部は、
溝を備える内側溝部分と、
前記本体部分から突出され、前記内側溝部分の境界となる補強構造と、を備え、
前記補強構造は、
前記内側溝部分と隣接する補強内側周辺部と、
前記補強内側周辺部と反対の補強外側周辺部と、
前記補強内側周辺部と前記補強外側周辺部との間で突出される補強頂部と、を備え、
前記本体部分は、
前記本体部分の外部本体輪郭を画定する本体部分外面と、
前記補強外側周辺部の外側に位置し、前記外部本体輪郭に垂直に測定される最小外側厚さと、を備え、
前記溝特徴部は、
前記外部本体輪郭に垂直に、前記補強頂部から前記外部本体輪郭において測定される補強厚さと、
前記補強厚さに垂直に、前記補強内側周辺部と前記補強外側周辺部との間で測定される補強寸法と、を備え、
前記補強構造は、前記最小外側厚さを越えて前記本体内部に突出し、
前記補強構造は、前記内側溝部分を越えて前記本体内部に突出し、
前記補強寸法は、前記最小外側厚さより少なくとも１．５倍大きく、
前記溝は、
前記本体ヒール端に対向する溝ヒール端と、
前記本体トゥ端に対向する溝トゥ端と、
前記本体前端に対向し、前記溝ヒール端から前記溝トゥ端に延ばされる溝前端と、を備え、
前記補強構造は、前記本体前端と前記溝前端との間に位置し、前記溝前端の全体の前方で連続的に延びる、ゴルフクラブヘッド。
【請求項３】
ソール、クラウン、本体ヒール端、本体トゥ端、本体前端、および本体後端を備える本体と、
前記本体の本体部分に位置する溝特徴部と、を備え、
前記本体部分は、前記ソールまたは前記クラウンのうちの一方を備え、
前記溝特徴部は、
溝を備える内側溝部分と、
前記本体部分から突出され、前記内側溝部分の境界となる補強構造と、を備え、
前記補強構造は、
前記内側溝部分と隣接する補強内側周辺部と、
前記補強内側周辺部と反対の補強外側周辺部と、
前記補強内側周辺部と前記補強外側周辺部との間で突出される補強頂部と、を備え、
前記本体部分は、
前記本体部分の外部本体輪郭を画定する本体部分外面と、
前記補強外側周辺部の外側に位置し、前記外部本体輪郭に垂直に測定される最小外側厚さと、を備え、
前記溝特徴部は、
前記外部本体輪郭に垂直に、前記補強頂部から前記外部本体輪郭において測定される補強厚さと、
前記補強厚さに垂直に、前記補強内側周辺部と前記補強外側周辺部との間で測定される補強寸法と、を備え、
前記補強構造は、前記最小外側厚さを越えて前記本体内部に突出し、
前記補強構造は、前記内側溝部分を越えて前記本体内部に突出し、
前記補強寸法は、前記最小外側厚さより少なくとも１．５倍大きく、
前記溝は、
前記本体ヒール端に対向する溝ヒール端と、
前記本体トゥ端に対向する溝トゥ端と、
前記本体前端に対向し、前記溝ヒール端から前記溝トゥ端に延ばされる溝前端と、を備え、
前記補強構造は、
前記溝ヒール端と前記本体ヒール端との間で、および、
前記溝トゥ端と前記本体トゥ端との間で
延びる、ゴルフクラブヘッド。
【請求項４】
ソール、クラウン、本体ヒール端、本体トゥ端、本体前端、および本体後端を備える本体と、
前記本体の本体部分に位置する溝特徴部と、を備え、
前記本体部分は、前記ソールまたは前記クラウンのうちの一方を備え、
前記溝特徴部は、
溝を備える内側溝部分と、
前記本体部分から突出され、前記内側溝部分の境界となる補強構造と、を備え、
前記補強構造は、
前記内側溝部分と隣接する補強内側周辺部と、
前記補強内側周辺部と反対の補強外側周辺部と、
前記補強内側周辺部と前記補強外側周辺部との間で突出される補強頂部と、を備え、
前記本体部分は、
前記本体部分の外部本体輪郭を画定する本体部分外面と、
前記補強外側周辺部の外側に位置し、前記外部本体輪郭に垂直に測定される最小外側厚さと、を備え、
前記溝特徴部は、
前記外部本体輪郭に垂直に、前記補強頂部から前記外部本体輪郭において測定される補強厚さと、
前記補強厚さに垂直に、前記補強内側周辺部と前記補強外側周辺部との間で測定される補強寸法と、を備え、
前記補強構造は、前記最小外側厚さを越えて前記本体内部に突出し、
前記補強構造は、前記内側溝部分を越えて前記本体内部に突出し、
前記補強寸法は、前記最小外側厚さより少なくとも１．５倍大きく、
前記溝は、
前記本体ヒール端に対向する溝ヒール端と、
前記本体トゥ端に対向する溝トゥ端と、
前記本体前端に対向し、前記溝ヒール端から前記溝トゥ端に延ばされる溝前端と、
前記本体後端に対向し、前記溝ヒール端から前記溝トゥ端に延ばされる溝後端と、を備え、
前記補強構造は、
前記本体前端と前記溝前端との間に位置し、前記溝前端の全体の前方で連続的に延ばされる前補強部分と、
前記溝後端と前記本体後端との間に位置し、前記前補強部分から不連続である１つまたは複数の後補強部分と、を備える、ゴルフクラブヘッド。
【請求項５】
ソール、クラウン、本体ヒール端、本体トゥ端、本体前端、および本体後端を備える本体と、
前記本体の本体部分に位置する溝特徴部と、を備え、
前記本体部分は、前記ソールまたは前記クラウンのうちの一方を備え、
前記溝特徴部は、
溝を備える内側溝部分と、
前記本体部分から突出され、前記内側溝部分の境界となる補強構造と、を備え、
前記補強構造は、
前記内側溝部分と隣接する補強内側周辺部と、
前記補強内側周辺部と反対の補強外側周辺部と、
前記補強内側周辺部と前記補強外側周辺部との間で突出される補強頂部と、を備え、
前記本体部分は、
前記本体部分の外部本体輪郭を画定する本体部分外面と、
前記補強外側周辺部の外側に位置し、前記外部本体輪郭に垂直に測定される最小外側厚さと、を備え、
前記溝特徴部は、
前記外部本体輪郭に垂直に、前記補強頂部から前記外部本体輪郭において測定される補強厚さと、
前記補強厚さに垂直に、前記補強内側周辺部と前記補強外側周辺部との間で測定される補強寸法と、を備え、
前記補強構造は、前記最小外側厚さを越えて前記本体内部に突出し、
前記補強構造は、前記内側溝部分を越えて前記本体内部に突出し、
前記補強寸法は、前記最小外側厚さより少なくとも１．５倍大きく、
前記溝は、
前記本体ヒール端に対向する溝ヒール端と、
前記本体トゥ端に対向する溝トゥ端と、
前記本体前端に対向し、前記溝ヒール端から前記溝トゥ端に延ばされる溝前端と、を備え、
前記補強構造は、
前記溝ヒール端と、前記本体前端または前記本体ヒール端の少なくとも一方と、の間で延ばされる前ヒール補強区分と、
前記溝トゥ端と、前記本体前端または前記本体トゥ端の少なくとも一方と、の間で延ばされる前トゥ補強区分と、を備え、
前記補強厚さは、前記前ヒール補強区分および前記前トゥ補強区分において、前記溝前端の前の他の場所より大きい、ゴルフクラブヘッド。
【請求項６】
前記溝特徴部が前記本体の内部空洞に延びている、請求項１から５のいずれか一項に記載のゴルフクラブヘッド。
【請求項７】
前記本体前端は、非直線打撃面起伏を有する打撃面を備え、
前記補強外側周辺部が、前記本体前端に対向し、前記非直線打撃面起伏と実質的に平行である、請求項１から６のいずれか一項に記載のゴルフクラブヘッド。
【請求項８】
前記本体は、シャフト軸を画定するホーゼルと、前記シャフト軸を備えるシャフト軸平面と、を備え、
前記ゴルフクラブヘッドが地平面の上でアドレス状態にあるとき、
前記シャフト軸平面が前記地平面に垂直であり、
前記補強構造の前端、
前記溝の前端、
前記溝の後端、
前記補強構造の後端
のうちの少なくとも１つが、前記シャフト軸平面と前記本体前端との間に位置する、請求項１から７のいずれか一項に記載のゴルフクラブヘッド。
【請求項９】
前記本体の第２の本体部分において第２の溝特徴部をさらに備え、
前記本体部分が前記ソールを備え、
前記第２の本体部分が前記クラウンを備える、請求項１から８のいずれか一項に記載のゴルフクラブヘッド。
【請求項１０】
前記本体部分は、前記本体部分の内部本体輪郭を画定する本体部分内面を備え、
前記溝特徴部は、前記外部本体輪郭に垂直に、前記補強頂部から前記内部本体輪郭で測定される構造体厚さを備え、
前記構造体厚さは、前記最小外側厚さの１００％から５００％までである、請求項１から９のいずれか一項に記載のゴルフクラブヘッド。
【請求項１１】
前記補強寸法は、前記補強厚さの３３％である、請求項１から１０のいずれか一項に記載のゴルフクラブヘッド。
【請求項１２】
前記補強寸法は、前記最小外側厚さより３倍以下で大きい、請求項１から１０のいずれか一項に記載のゴルフクラブヘッド。
【請求項１３】
前記補強厚さは、前記最小外側厚さより３倍以上で大きい、請求項１から１２のいずれか一項に記載のゴルフクラブヘッド。
【請求項１４】
前記補強厚さは、前記最小外側厚さより６倍以下で大きい、請求項１から１２のいずれか一項に記載のゴルフクラブヘッド。
【請求項１５】
前記最小外側厚さは、前記外部本体輪郭に垂直に測定され、前記本体前端と前記補強外側周辺部との間に位置する、請求項１から１４のいずれか一項に記載のゴルフクラブヘッド。
【請求項１６】
前記溝特徴部は、前記外部本体輪郭に垂直に測定される前記内側溝部分の内側部分厚さを備え、
前記補強厚さは、前記内側部分厚さより少なくとも５倍大きい、請求項１から１５のいずれか一項に記載のゴルフクラブヘッド。
【請求項１７】
前記溝特徴部は、前記外部本体輪郭に垂直に測定される前記内側溝部分の内側部分厚さを備え、
前記補強寸法は、前記内側部分厚さより少なくとも４倍大きい、請求項１から１５のいずれか一項に記載のゴルフクラブヘッド。
【請求項１８】
前記内側溝部分は、前記溝の境界となる内側部分壁を備え、
前記内側部分壁は、前記外部本体輪郭に垂直に測定される内側部分厚さを備え、
前記補強寸法が、前記内側部分壁の前記内側部分厚さより大きい、請求項１から１５のいずれか一項に記載のゴルフクラブヘッド。
【請求項１９】
前記内側溝部分は、前記溝の境界となる内側部分壁を備え、
前記内側部分壁の外面は、前記外部本体輪郭に沿って延び、前記本体部分外面の一部を備える、請求項１から１７のいずれか一項に記載のゴルフクラブヘッド。
【請求項２０】
前記溝特徴部は、２未満の比重と、９０ショアＡ未満の硬度とを有する溝キャップと、をさらに備え、
前記内側溝部分は、前記溝の境界となる内側部分壁を備え、
前記溝は、前記内側部分壁の外面から前記内側部分壁の内面に延び、
前記溝キャップは、前記溝内に少なくとも一部に位置する、請求項１から１７のいずれか一項に記載のゴルフクラブヘッド。
【請求項２１】
ソール、クラウン、本体ヒール端、本体トゥ端、本体前端、および本体後端を備える本体と、
前記本体の本体部分における溝特徴部と、を備え、
前記本体部分は、前記ソールまたは前記クラウンのうちの少なくとも一方を備え、
前記溝特徴部は、
溝を備える内側溝部分と、
前記本体部分から突出され、前記内側溝部分の境界となる補強構造と、を備え、
前記補強構造は、
前記内側溝部分と隣接する補強内側周辺部と、
前記補強内側周辺部と反対の補強外側周辺部と、
前記補強内側周辺部と前記補強外側周辺部との間に突出される補強頂部と、を備え、
前記本体部分は、
前記本体部分の外部本体輪郭を画定する本体部分外面と、
前記補強外側周辺部の外側に位置し、前記外部本体輪郭に垂直に測定される最小外側厚さと、を備え、
前記溝特徴部は、前記外部本体輪郭に垂直に、前記補強頂部から前記外部本体輪郭で測定される補強厚さを備え、
前記補強構造は、前記最小外側厚さを越えて前記本体内部に突出し、
前記補強構造は、前記内側溝部分を越えて前記本体内部に突出し、
前記補強厚さは、前記最小外側厚さより少なくとも３倍大きく、
前記補強構造は、前記溝を連続的に包囲する、ゴルフクラブヘッド。
【請求項２２】
ソール、クラウン、本体ヒール端、本体トゥ端、本体前端、および本体後端を備える本体と、
前記本体の本体部分における溝特徴部と、を備え、
前記本体部分は、前記ソールまたは前記クラウンのうちの少なくとも一方を備え、
前記溝特徴部は、
溝を備える内側溝部分と、
前記本体部分から突出され、前記内側溝部分の境界となる補強構造と、を備え、
前記補強構造は、
前記内側溝部分と隣接する補強内側周辺部と、
前記補強内側周辺部と反対の補強外側周辺部と、
前記補強内側周辺部と前記補強外側周辺部との間に突出される補強頂部と、を備え、
前記本体部分は、
前記本体部分の外部本体輪郭を画定する本体部分外面と、
前記補強外側周辺部の外側に位置し、前記外部本体輪郭に垂直に測定される最小外側厚さと、を備え、
前記溝特徴部は、前記外部本体輪郭に垂直に、前記補強頂部から前記外部本体輪郭で測定される補強厚さを備え、
前記補強構造は、前記最小外側厚さを越えて前記本体内部に突出し、
前記補強構造は、前記内側溝部分を越えて前記本体内部に突出し、
前記補強厚さは、前記最小外側厚さより少なくとも３倍大きく、
前記溝特徴部は、前記補強厚さに垂直に、前記補強内側周辺部と前記補強外側周辺部との間で測定される補強寸法を備え、
前記補強寸法は、前記補強厚さの３３％であり、
前記補強寸法は、前記最小外側厚さより少なくとも１．５倍大きく、
前記最小外側厚さは、前記外部本体輪郭に垂直に測定され、前記本体前端と前記補強外側周辺部との間に位置し、
前記内側溝部分は、前記溝の境界となる内側部分壁を備え、
前記内側部分壁の外面は、前記外部本体輪郭に沿って延び、前記本体部分外面の一部を備え、
前記溝は、前記内側部分壁の外面から前記内側部分壁の内面に延び、
前記内側部分壁は、前記外部本体輪郭に垂直に測定される内側部分厚さを備え、
前記補強寸法は、前記内側部分厚さより大きく、
前記溝は、
前記本体ヒール端に対向する溝ヒール端と、
前記本体トゥ端に対向する溝トゥ端と、
前記本体前端に対向し、前記溝ヒール端から前記溝トゥ端に延ばされる溝前端と、を備え、
前記補強構造は、前記本体前端と前記溝前端との間に位置し、
前記溝前端の全体の前方で、
前記溝ヒール端と前記本体ヒール端との間で、および、
前記溝トゥ端と前記本体トゥ端との間で
連続的に延び、
前記本体は、シャフト軸を画定するホーゼルと、前記シャフト軸を備えるシャフト軸平面とを備え、
前記ゴルフクラブヘッドが地平面の上でアドレス状態にあるとき、
前記シャフト軸平面が前記地平面に垂直であり、
前記補強構造の前端、
前記溝の前端、
前記溝の後端、
前記補強構造の後端
のうちの少なくとも１つが、前記シャフト軸平面と前記本体前端との間に位置する、ゴルフクラブヘッド。
【請求項２３】
ソール、クラウン、本体ヒール端、本体トゥ端、本体前端、および本体後端を備えるゴルフクラブヘッドの本体を提供するステップと、
前記ソールまたは前記クラウンのうちの少なくとも一方を備える前記本体の本体部分に、溝特徴部を提供するステップと、を含み、
前記溝特徴部は、
溝を備える内側溝部分と、
前記本体部分から突出され、前記内側溝部分の境界となる補強構造と、を備え、
前記補強構造は、
前記内側溝部分と隣接する補強内側周辺部と、
前記補強内側周辺部と反対の補強外側周辺部と、
前記補強内側周辺部と前記補強外側周辺部との間に突出される補強頂部と、を備え、
前記本体部分は、
前記本体部分の外部本体輪郭を画定する本体部分外面と、
前記補強外側周辺部の外側に位置し、前記外部本体輪郭に垂直に測定される最小外側厚さと、を備え、
前記溝特徴部は、
前記外部本体輪郭に垂直に、前記補強頂部から前記外部本体輪郭で測定される補強厚さと、
前記補強厚さに垂直に、前記補強内側周辺部と前記補強外側周辺部との間で測定される補強寸法と、を備え、
前記補強構造は、前記最小外側厚さを越えて前記本体内部に突出し、
前記補強構造は、前記内側溝部分を越えて前記本体内部に突出し、
前記補強寸法が、前記最小外側厚さより少なくとも１．５倍大きく、
前記補強構造は、前記溝を連続的に包囲する、方法。
【請求項２４】
前記最小外側厚さは、前記外部本体輪郭に垂直に測定され、前記本体前端と前記補強外側周辺部との間に位置し、
前記内側溝部分は、前記溝の境界となる内側部分壁を備え、
前記内側部分壁の外面は、前記外部本体輪郭に沿って延び、前記本体部分外面の一部を備える、請求項２３に記載の方法。
【発明の詳細な説明】
【技術分野】
【０００１】
関連出願の相互参照
本出願は、２０１３年１０月１日に出願された米国非仮特許出願第１４／０４３，７３５号の便益を主張する。米国非仮特許出願第１４／０４３，７３５号は、その全体において参照により本明細書に組み込まれている。
【０００２】
本開示は、概してゴルフ器具、詳細には溝特徴部を有するゴルフクラブヘッドおよび関連する方法に関する。
【背景技術】
【０００３】
最近のウッド型のゴルフクラブヘッドは、クラブヘッドの重心の位置を調節するように質量を取り外す、もしくは所望の位置に再配置すること、および／または、より良いゴルフ打ち上げ特性のために打撃面反応を調節するようにスロット等の１つまたは複数の要素を導入すること等によって、その性能を際立たせ、または改良させるように開発されてきた。しかしながら、このような改良は、構造的な悪化または欠陥なしに適切な衝撃応力に耐えるためのゴルフクラブヘッドの能力と調和させる必要がある。
【０００４】
上記を考慮して、適切なゴルフクラブ特徴部を補強することに関するさらなる開発により、ゴルフクラブの十分な構造的完全性を維持しながら、ゴルフクラブの性能を高め得る。
【発明の概要】
【０００５】
本開示は、添付した図面における図と併せて、実施形態の例の以下の詳細な説明を読めば、より良く理解されることになる。
【図面の簡単な説明】
【０００６】
【図１】ゴルフクラブヘッドの正面図である。
【０００７】
【図２】ゴルフクラブヘッドの例示の溝特徴部を示す、図１のゴルフクラブヘッドの前側からの斜視における透視図である。
【０００８】
【図３】図１の線ＩＩＩ−ＩＩＩに沿った図１のゴルフクラブヘッドの底に向かう断面図である。
【０００９】
【図４】図１の線ＩＶ−ＩＶに沿った図１のゴルフクラブヘッドのヒールに向かう断面図である。
【００１０】
【図５】ゴルフボールの初期の衝撃の間の図１のゴルフクラブヘッドの側面図であって、ゴルフクラブヘッドのソールに位置する溝が衝撃によってどのように圧縮されるかを示す側面図である。
【００１１】
【図６】図５に示されるソールに位置する溝の圧縮に続いて、溝が圧縮解放されたときの図１のゴルフクラブヘッドの側面図である。
【００１２】
【図７】ゴルフボールの初期の衝撃の間の図１のゴルフクラブヘッドの側面図であって、ゴルフクラブヘッドのクラウンに位置する溝が衝撃によってどのように圧縮されるかを示す側面図である。
【００１３】
【図８】図７に示されているクラウンに位置する溝の圧縮に続いて、溝が圧縮解放されたときの図１のゴルフクラブヘッドの側面図である。
【００１４】
【図９】トゥ打撃面部におけるゴルフボールの初期の衝撃の間の図１のゴルフクラブヘッドの平面図であって、ゴルフクラブヘッドの溝がゴルフクラブヘッドのトゥ部において衝撃によってどのように圧縮されるかを示す平面図である。
【００１５】
【図１０】図９に示されている溝の圧縮に続いて、溝が圧縮解放されたときの図１のゴルフクラブヘッドの平面図である。
【００１６】
【図１１】対応する溝特徴部を持つ別のゴルフクラブの上から底に向かう断面図である。
【００１７】
【図１２】対応する溝特徴部を持つ別のゴルフクラブの上から底に向かう断面図である。
【００１８】
【図１３】対応する溝特徴部を持つ別のゴルフクラブの上から底に向かう断面図である。
【００１９】
【図１４】対応する溝特徴部を持つ別のゴルフクラブの上から底に向かう断面図である。
【００２０】
【図１５】本開示の例および実施形態に従って溝特徴部を持つゴルフクラブヘッドを提供するための方法のフローチャートである。
【発明を実施するための形態】
【００２１】
図示を簡単に、わかりやすくするために、図面は、一般的な製作方式を示し、よく知られている特徴および技術の説明および詳細は、本開示を不必要にわかりにくくしないよう省かれ得る。それに加えて、図面中の要素は、必ずしも縮尺通り描かれていない。例えば、図中のそれらの要素のうちのいくつかの寸法は、本開示の実施形態の理解を高めるため他の要素に比べて誇張されている場合がある。異なる図中の同じ参照番号は、同じ要素を表す。
【００２２】
説明および請求項中の「第１の」、「第２の」、「第３の」、「第４の」、および同様の語は、類似の要素を区別するために使用され、必ずしも特定の順次的または時間的順序を記述するために使用されない。このように使用される語は、本明細書で説明されている実施形態が、例えば、本明細書で例示されているか、または他の何らかの方法で説明されているのとは別の順序での操作が可能であるように、適切な状況の下で交換可能であることは理解されるであろう。さらに、「含む」、「有する」という語、およびこれらの変形の語は、非排他的な包含を対象とすることを意図しており、それにより、一連の要素を含むプロセス、方法、システム、物品、デバイス、または装置は、必ずしもそれらの要素に限定されず、そのようなプロセス、方法、システム、物品、デバイス、または装置に関して明示的に列挙されているか、またはそれらに固有の他の要素を含み得る。
【００２３】
説明および請求項中の「左」、「右」、「前」、「後」、「頂部」、「底部」、「上の」、「下の」、および同様の語は、記述を目的として使用され、必ずしも永久的な相対的位置を記述するために使用されない。こうして使用される語は、本明細書で説明されている装置、方法、および／または物品の実施形態が、例えば、本明細書で例示されているか、または他の何らかの方法で説明されているのとは別の向きの操作が可能であるように、適切な状況の下で交換可能であることは理解されるであろう。
【００２４】
「結合する」、「結合される」、「結合」、「結合すること」、および同様の語は、広い意味で理解されるべきであり、２つまたはそれ以上の要素を機械的におよび／または他の何らか方法で接続することを指す。結合することは、任意の長さの時間の間、例えば、永久的または半永久的またはほんの短い間のみであるものとしてよい。「取り外し可能に」、「取り外し可能」という単語がないこと、および「結合される」という単語に近い同様の単語、および同様の単語は、注目している、結合すること、などが取り外し可能である、または取り外し可能でないことを意味しない。
【００２５】
本明細書で定義されているように、２つまたはそれ以上の要素は、それらが同じ材料個片からなる場合に「一体」である。本明細書で定義されているように、２つまたはそれ以上の要素は、各々異なる材料個片からなる場合に「非一体」である。なお、湾曲線又は面に関する線の直交性は、このような湾曲線又は面に接線又は接平面によって測定される。
【００２６】
一例では、ゴルフクラブヘッドは、本体と、本体の本体部分に位置する溝特徴部と、を備えることができる。本体は、ソール、クラウン、本体ヒール端、本体トゥ端、本体前端、および本体後端を備えることができる。本体部分は、ソールまたはクラウンのうちの一方を備えることができる。溝特徴部は、溝を備える内側溝部分と、本体部分から突出され、内側溝部分の境界となる補強構造と、を備えることができる。補強構造は、内側溝部分と隣接する補強内側周辺部と、補強内側周辺部と反対の補強外側周辺部と、補強内側周辺部と補強外側周辺部との間で突出される補強頂部と、を備えることができる。本体部分は、本体部分の外部本体輪郭を画定する本体部分外面と、補強外側周辺部の外側に位置し、外部本体輪郭に垂直に測定される最小外側厚さと、を備えることができる。溝特徴部は、外部本体輪郭に垂直に、補強頂部から外部本体輪郭において測定される補強厚さと、補強厚さに垂直に、補強内側周辺部と補強外側周辺部との間で測定される補強寸法と、を備えることができる。補強構造は、最小外側厚さを越えて突出することができる。補強構造は、内側溝部分を越えて突出することができる。補強周囲長さは、最小外側厚さより少なくともおおよそ１．５倍大きくすることができる。
【００２７】
一実施例では、ゴルフクラブヘッドは、本体と、本体の本体部分に位置する溝特徴部と、を備えることができる。本体は、ソール、クラウン、本体ヒール端、本体トゥ端、本体前端、および本体後端を備えることができる。本体部分は、ソールまたはクラウンのうちの一方を備えることができる。溝特徴部は、溝を備える内側溝部分と、本体部分から突出され、内側溝部分の境界となる補強構造と、を備えることができる。補強構造は、内側溝部分と隣接する補強内側周辺部と、補強内側周辺部と反対の補強外側周辺部と、補強内側周辺部と補強外側周辺部との間で突出される補強頂部と、を備えることができる。本体部分は、本体部分の外部本体輪郭を画定する本体部分外面と、補強外側周辺部の外側に位置し、外部本体輪郭に垂直に測定される最小外側厚さと、を備えることができる。溝特徴部は、外部本体輪郭に垂直に、補強頂部から外部本体輪郭において測定される補強厚さと、補強厚さに垂直に、補強内側周辺部と補強外側周辺部との間で測定される補強寸法と、を備えることができる。補強構造は、最小外側厚さを越えて突出することができる。補強厚さは、最小外側厚さより少なくともおよそ３倍大きくすることができる。
【００２８】
一実施例では、方法は、ゴルフクラブヘッドの本体を提供するステップと、本体の本体部分に、溝特徴部を提供するステップと、を含むことができる。本体は、ソール、クラウン、本体ヒール端、本体トゥ端、本体前端、および本体後端を備えることができる。本体部分は、ソールまたはクラウンのうちの一方を備えることができる。溝特徴部は、溝を備える内側溝部分と、本体部分から突出され、内側溝部分の境界となる補強構造と、を備えることができる。補強構造は、内側溝部分と隣接する補強内側周辺部と、補強内側周辺部と反対の補強外側周辺部と、補強内側周辺部と補強外側周辺部との間に突出される補強頂部と、を備えることができる。本体部分は、本体部分の外部本体輪郭を画定する本体部分外面と、補強外側周辺部の外側に位置し、外部本体輪郭に垂直に測定される最小外側厚さと、を備えることができる。溝特徴部は、外部本体輪郭に垂直に、補強頂部から外部本体輪郭で測定される補強厚さと、補強厚さに垂直に、補強内側周辺部と補強外側周辺部との間で測定される補強寸法と、を備えることができる。補強構造は、最小外側厚さを越えて本体に突出することができる。補強構造は、内側溝部分を越えて本体に突出することができる。補強寸法が、最小外側厚さより少なくともおおよそ１．５倍大きくすることができる。
【００２９】
他の例および実施形態が、本明細書でさらに開示される。このような例および実施形態は、図において、請求項において、および／または、この説明において、見出され得る。
【００３０】
図１は、ゴルフクラブヘッド１０００の正面図を示す。図２は、ゴルフクラブヘッド１０００のヘッド本体１１００に位置する例示の溝特徴部２２００および２３００を示す、ゴルフクラブヘッド１０００の前側からの斜視における透視図を示す。図３は、図１の線III-IIIに沿ったゴルフクラブヘッド１０００の底に向かう断面図を示す。図４は、図１の線IV-IVに沿ったゴルフクラブヘッド１０００のヒールに向かう断面図を示す。
【００３１】
ヘッド本体１１００は、本実施形態において、クラウン１１１０と、ソール１１２０と、本体ヒール端１１６０と、本体トゥ端１１５０と、本体前端１１３０と、本体後端２１４０と、ホーゼル１１７０と、スカート１１８０とを備えており、本体前端１１３０は、打撃面トゥ部１１３２と打撃面ヒール部１１３３とを持つ打撃面１１３１を備えている。溝特徴部２２００および２３００は、ヘッド本体１１００の対応する本体部分からヘッド本体１１００の中空の空洞に突出している。例えば、溝特徴部２２００および２３００は、溝２２５０および２３５０をそれぞれ含み得る。さらに、溝特徴部２３００は、クラウン１１１０を備える本体部分１１１１に位置し得る一方、溝特徴部２２００は、ソール１１２０を備える本体部分１１２１に位置し得る。本体部分１１２１および／または１１１１がスカート１１８０を備え得るように、溝特徴部２２００および／または２３００がスカート１１８０に延びる他の実施形態もあり得る。本実施形態のクラブヘッド１０００は、クラウン１１１０における溝特徴部２３００とソール１１２０における溝特徴部２２００との両方を備えるが、他の実施形態では、クラウン１１１０に溝特徴部２３００がなくてもよく、あるいは、ソール１２００に溝特徴部２２００がなくてもよい。本明細書で説明される溝特徴部のうちの１つまたは複数と同様に、１つまたは複数の溝特徴部を有する他の実施形態があってもよく、ヘッド本体１１００の中空の空洞に突出するのに代えてまたはそれに加えて、ヘッド本体１１００の外部に突出していてもよい。
【００３２】
溝特徴部２２００および／または２３００は、打撃面１１３１のゴルフボール３９００との衝撃時におけるゴルフボール打ち上げ特性を変更または調節するように構成され得る。図を先に進んで、図５は、ゴルフボール３９００の初期の衝撃の間の打撃面１１３１の下部におけるゴルフクラブヘッド１０００の側面図を示しており、溝特徴部２２００の溝２２５０が、衝撃によってどのように圧縮され、それによって、ゴルフクラブヘッド１０００の有効なロフト角度を低減し、そのためゴルフボール３９００の打ち上げ角度を低減するかを、透視図で示す。バックスピン５９１０は、通常、打撃面１１３１との衝撃の間、打撃面１１３１とのギア効果の結果として、ゴルフボール３９００に誘発される。しかしながら、溝特徴部２２００を設けることで、図５に示されている溝２２５０の圧縮に続く溝２２５０が圧縮解放したときのゴルフクラブヘッド１０００の側面図を示す図６に示されているように、このようなバックスピンを低減することができる。具体的には、溝２２５０は、図６において打撃面１１３１に向かって前方に圧縮解放するとき、逆スピン６９２０がゴルフボール３９００に誘発され、このような逆スピン６９２０が、図５のバックスピン５９１０の少なくとも一部と反対に作用することで、図５のバックスピン５９１０より小さいバックスピンを伴うスピン６９３０を結果的に生じさせる。したがって、ソール１１２０に溝２２５０を有する溝特徴部２２００を設けることによって、図５および図６に関して先に説明したように、溝２２５０の圧縮解放のため、ゴルフボール３９００のより低い打ち上げ角度と低減されたバックスピンとを可能にすることができ、ゴルフボール３９００についての打ち上げ速度も増加され得る。
【００３３】
図７は、ゴルフボール３９００の初期の衝撃の間の打撃面１１３１の上部におけるゴルフクラブヘッド１０００の側面図を示しており、溝特徴部２３００の溝２３５０が衝撃によってどのように圧縮され、それによって、ゴルフクラブヘッド１０００の有効なロフト角度を増加し、そのためゴルフボール３９００の打ち上げ角度を増加するかを、透視図で示す。バックスピン７９１０は、バックスピン５９１０（図５）と同様とすることができ、通常、打撃面１１３１との衝撃の間、打撃面１１３１とのギア効果の結果として、ゴルフボール３９００に誘発される。しかしながら、クラウン１１１０に溝特徴部２３００を設けることで、図７に示されている溝２３５０の圧縮に続く溝２３５０が圧縮解放したときのゴルフクラブヘッド１０００の側面図を示す図８に示されているように、このようなバックスピンを増加することができる。具体的には、溝２３５０は、図８において打撃面１１３１に向かって前方に圧縮解放するとき、スピン８９２０がゴルフボール３９００に誘発され、このようなスピン８９２０が、図７のバックスピン７９１０に加わって、図７のバックスピン７９１０より大きいバックスピンを含むスピン８９３０を結果的に生じさせる。したがって、クラウン１１１０において溝２３５０を持つ溝特徴部２３００を設けることによって、図７および図８に関して先に説明したように、溝２３５０の圧縮解放のため、ゴルフボール３９００のより大きい打ち上げ角度と増加されたバックスピンとを可能にすることができ、ゴルフボール３９００についての打ち上げ速度も増加され得る。
【００３４】
図９は、打撃面１１３１のトゥ部１１３２におけるゴルフボール３９００の初期の衝撃の間のゴルフクラブヘッド１０００の平面図を示しており、溝特徴部２２００の溝２２５０が、トゥ部１１３２における衝撃によってどのように圧縮されるかを、透視図で示す。ゴルフボール３９００との衝撃は、ゴルフクラブヘッド１０００にヘッド捩じれ９８１０を誘発し、さらに、打撃面１１３１との衝撃の間、打撃面１１３１とのギア効果の結果として、ゴルフボール３９００にサイドスピン９９１０を誘発する。溝２２５０の圧縮は、打撃面１１３１のトゥ部１１３２をさらに後向きに撓ませることができ、それによって、ボール３９００が打撃面１１３１と直面する有効な膨らみを増加する。溝特徴部２２００を設けることで、図９に示されている溝２２５０の圧縮に続く溝２２５０が圧縮解放したときのゴルフクラブヘッド１０００の上面図を示す図１０に示されているように、サイドスピン９９１０の少なくとも一部と反対に作用できる。具体的には、溝２２５０は、図１０において打撃面１１３１に向かって前方に圧縮解放するとき、逆スピン１０９２０がゴルフボール３９００に誘発され、このような逆スピン１０９２０は、溝特徴部２２００によって打撃面１１３１の有効な膨らみが増加し、このような逆スピン１０９２０は、図９のサイドスピン９９１０の少なくとも一部と反対に作用することで、より真っ直ぐなボールの飛行経路のために、図９のサイドスピン９９１０より小さいサイドスピンを含むスピン１０９３０を結果的に生じさせる。また、溝２２５０の圧縮解放のため、ゴルフボール３９００についての打ち上げ速度も増加され得る。
【００３５】
図１〜図４に戻って、溝特徴部２２００は、溝２２５０を有する内側溝部分２２２０と、内側溝部分２２２０の境界となり、本実施形態ではソール１１２０において本体部分１１２１から突出される補強構造２２１０とを備えている。補強構造２２１０は、補強構造２２１０と内側溝部分２２２０との間に位置する補強内側周辺部３２１１（図３）を備えており、また、補強内側周辺部３２１１の反対に位置する補強外側周辺部３２１２も備えている。したがって、補強構造２２１０は、本体部分１１２１から、補強内側周辺部３２１１と補強外側周辺部３２１２との間に位置する補強頂部３２１３に突出している。
【００３６】
本実施形態では、打撃面１１３１は、非平面であり、水平膨らみ部３１３５（図３）を備えている。補強構造２２１０の補強外側周辺部３２１２、溝２２５０、および／または前端は、打撃面１１３１と実質的に平行であり得る。打撃面１１３１は、本実施形態では非平面の水平膨らみ部３１３５を備えるが、補強構造２２１０の補強外側周辺部３２１２、溝２２５０、および／または前端が、実質的に真っ直ぐであり得る、および／または、打撃面１１３１に対して一直線にされ得る他の実施形態があってもよい。
【００３７】
図４を見ると、本体部分１１２１は、外部本体輪郭４１２５を画定する本体部分外面４１２２を備えており、外部本体輪郭４１２５は、本体部分外面４１２２に沿って本体部分１１２１の輪郭に追随しており、溝２２５０等のように、本体部分外面４１２２が不連続である部分も推定させる。また、本体部分１１２１は、内部本体輪郭４１２６を画定する本体部分内面４１２３を備えており、内部本体輪郭４１２６は、本体部分内面４１２３に沿って本体部分１１２１の輪郭に追随している。
【００３８】
本体部分１１２１は最小外側厚さ４５１０も備えており、最小外側厚さ４５１０は、補強外側周辺部３２１２の外側に位置し、外部本体輪郭４１２５に垂直に測定される。例えば、ここでの例では、最小外側厚さ４５１０は、本体前端１１３０と補強外側周辺部３２１２の前端との間に位置する本体部分１１２１の最小厚さである。しかしながら、最小外側厚さ４５１０は、補強外側周辺部３２１２のなおも外側であって、外部本体輪郭４１２５になおも垂直である本体部分１１２１における他の場所で測定される最小厚さであり得る他の例であってもよい。
【００３９】
溝特徴部２２００は、補強厚さ４５２０と補強寸法４５３０とを備えている。補強厚さ４５２０は、外部本体輪郭４１２５に垂直に、補強頂部３２１３から外部本体輪郭４１２５までの厚さ距離で測定される。補強寸法４５３０は、補強厚さ４５２０に垂直に、補強内側周辺部３２１１と補強外側周辺部３２１２との間で測定される。ある例では、補強寸法４５３０は、補強内側周辺部３２１１から補強外側周辺部３２１２までで測定され得る。補強寸法４５３０は、補強頂部３２１３から外部本体輪郭４１２５への厚さ距離のおおよそ１／３に位置付けられる場所において、補強厚さ４５２０を垂直に横切って測定され得る実装形態があってもよい。
【００４０】
図４で見ることができるように、補強構造２２１０は、本体部分１１２１の最小外側厚さ４５１０を越えて突出しており、内側溝部分２２２０も越えて突出している。したがって、補強構造２２１０の寸法は、打撃面１１３１のゴルフボール３９００との衝撃の間などの機械的な応力の状況において、本体部分１１２１の追加的な補強を提供する等のために、増加し得る、または、本体部分１１２１の他の寸法のより大きくなり得る。例えば、補強構造２２１０は、溝２２５０またはその近接においての本体部分１１２１の構造的完全性に影響を与えることになる、衝撃応力を吸収するように、および／または、衝撃応力をそらすように、構成され得る。
【００４１】
したがって、本実施形態では、補強寸法４５３０は、最小外側厚さ４５１０より少なくともおおよそ１．５倍大きくてもよく、および／または、補強厚さ４５２０は、最小外側厚さ４５１０より少なくともおおよそ３倍大きくてもよい。
【００４２】
同じ実施形態または他の実施形態では、補強寸法４５３０は、最小外側厚さ４５１０よりおおよそ最大３倍まで大きくてもよく、および／または、補強厚さ４５２０は、最小外側厚さ４５１０よりおおよそ最大６倍まで大きくてもよい。補強寸法４５３０および／または補強厚さ４５２０の最大サイズのこのような限定は、ゴルフクラブヘッド１０００の重心の前端１１３０に向かう移動の制限、および／または、ゴルフクラブヘッド１０００の望ましい全重量の維持に関連があり得る。
【００４３】
ある例では、補強構造２２１０の寸法は、本体部分１１２１の本体部分内面４１２３に対する補強構造２２１０の突出に関して構成されてもよい。例えば、溝特徴部２２００は構造体厚さ４５４０を備え、構造体厚さ４５４０は、外部本体輪郭４１２５に垂直に測定され、補強頂部３２１２から内部本体輪郭４１２３まで延びている。ある実施形態では、構造体厚さ４５４０は、最小外側厚さ４５１０のおおよそ１００％からおおよそ５００％であり得る。
【００４４】
本実施形態では、内側溝部分２２２０は、溝２２５０の境界となる内側部分壁３２２１を備えている。内部部分壁３２２１は、壁内面４２２３と壁外面４２２２とを備えており、壁外面４２２２は、外部本体輪郭４１２５に沿って延びており、本体部分外面４２２２の一部を備えている。溝２２５０は、内側部分壁３２２１を完全に貫くように、壁外面４２２２から壁内面４２２３に延びることができる。しかしながら、溝２２５０は、内側部分壁３２２１を完全に貫くには足りずに途切れてもよい他の実施形態であってもよい。
【００４５】
内側溝部分２２２０は、ここでの例では、外部本体輪郭４１２５に垂直に内側部分壁３２２１を横切って計測される内側部分厚さ４２２５を備えている。補強寸法４５３０および／または補強厚さ４５２０は、内側部分厚さ４２２５の追加的な構造上の支持を提供するように、内側部分厚さ４２２５より大きくてもよい。例えば、補強寸法４５３０は、内側部分厚さ４２２５より少なくともおおよそ４倍大きくてもよく、および／または、補強厚さ４５２０は、ある実装形態では、内側部分厚さ４２２５より少なくともおおよそ５倍大きくてもよい。
【００４６】
ゴルフクラブヘッド１０００は、ホーゼル１１７０（図１）によって画定されるようなシャフト軸１１７２（図１）も備えている。シャフト軸１１７２はシャフト軸平面３１７２（図３）を画定し、シャフト軸平面３１７２は、シャフト軸１１７２を備え、ゴルフクラブヘッド１０００が図１に示されるように地平面１５００（図１）の上でアドレス状態にあるとき、地平面１５００に垂直である。図３で見られるように、補強構造２２１０の前端、溝２２５０の前端、溝２２５０の後端、および／または、補強構造２２１０の後端など、溝特徴部２２００の全体でなくても１つまたは複数の部分が、シャフト軸平面３１７２とゴルフクラブヘッド１０００の本体前端１１３０との間で、本体前端１１３０に向かって位置し得る。打撃面１１３１に近接するこのような位置は、ゴルフボール３９００との衝撃の間に溝２２５０の圧縮量を増加するために、および／または、ゴルフボール３９００とのこのような衝撃に関連する衝撃応力をよりよく吸収もしくは消散させるように補強構造２２１０を位置決めするために、有益であり得る。
【００４７】
図３および図４に見られるように、溝特徴部２２００は溝キャップ３２２９も備えており、溝キャップ３２２９は、その少なくとも一部が溝２２５０内に位置する。溝キャップ３２２９は、例えば、埃がゴルフクラブヘッド１０００の内部空洞３１５０に入るのを防止するために、および／または、１つまたは複数のゴルフ運営組織による規則と適合するために、溝２２５０を封止することができる。ある例では、溝キャップ３２２９は、おおよそ２未満の比重と、おおよそ９０ショアＡ未満の硬度とを有する材料を備え得る。同じ例または他の例では、とりわけ、溝キャップ３２２９の材料は、ゴム材料、ウレタン材料、および／またはシリコン材料のうちの１つまたは複数を備え得る。
【００４８】
上記で先に詳述したように、また、図２および図４で示したように、ゴルフクラブヘッド１０００は、本体部分１１１１に溝特徴部２３００も備えており、本体部分１１１１は、本実施形態ではクラウン１１１０を備えている。溝特徴部２３００は、溝特徴部２２００と同様であるが、ソール１１２０ではなくクラウン１１１０に位置する。溝特徴部２２００および２３００の異なる要素は、互いと対応するように同様であり得る。例えば、クラウン１１１０における溝特徴部２３００についての補強構造２３１０、補強外側周辺部３３１２、補強内側周辺部３３１１、補強頂部３３１３、内側溝部分２３２０、内側部分壁３３２１、溝２３５０、最小外側厚さ４６１０、補強厚さ４６２０、補強寸法４６３０、構造体厚さ４６４０、および溝キャップ３３２９は、前述したようなソール１１２０における溝特徴部２２００についての補強構造２２１０、補強外側周辺部３２１２、補強内側周辺部３２１１、補強頂部３２１３、内側溝部分２２２０、内側部分壁３２２１、溝２２５０、最小外側厚さ４５１０、補強厚さ４５２０、補強寸法４５３０、構造体厚さ４５４０、および溝キャップ３２２９と対応するように同様であり得る。
【００４９】
図１〜図４の例では、補強構造２２１０は、溝２２５０の溝前端２２５１、溝後端２２５２、溝トゥ端２２５３、および溝ヒール端２２５４を通じて溝２２５０を連続的に包囲している。これと同様の他の実施形態もあり得るが、溝２２５０を完全に包囲する必要のない溝構造を備えている。
【００５０】
例えば、図１１は、図３について先に説明した見方と同様の、ゴルフクラブヘッド１１０００の上から底に向かう断面図を示す。ゴルフクラブヘッド１１０００はゴルフクラブヘッド１０００（図１〜図１０）と同様であり得るが、補強構造１１２１０および溝２２５０を持つ溝特徴部１１２００を備えている。補強構造１１２１０は、補強構造２２１０（図１〜図４）と同様であり得るが、溝２２５０を完全に包囲していない。代わりに、補強構造１１２１０は、本体前端１１３０と溝前端２２５１との間に位置し、溝前端２２５１の全体の前方で連続的に延びている。
【００５１】
別の例として、図１２は、図３について先に説明した見方と同様の、ゴルフクラブヘッド１２０００の上から底に向かう断面図を示す。ゴルフクラブヘッド１２０００はゴルフクラブヘッド１０００（図１〜図１０）と同様であり得るが、補強構造１２２１０および溝２２５０を持つ溝特徴部１２２００を備えている。補強構造１２２１０は、補強構造２２１０（図１〜図４）および補強構造１１２１０（図１１）と同様であり得るが、どのように溝２２５０の境界になるかという観点において異なり得る。例えば、補強構造１２２１０は、溝２２５０を完全に包囲しないが、本体トゥ端１１５０および本体ヒール端１１６０に向かい、最終的にゴルフクラブヘッド１２０００の後に向かって延びており、その結果、補強構造１２２１０の一部が、溝ヒール端２２５４と本体ヒール端１１６０との間と、溝トゥ端２２５３と本体トゥ端１１５０との間とに位置する。
【００５２】
図１３は、図３について先に説明した見方と同様の、ゴルフクラブヘッド１３０００の上から底に向かう断面図を示す別の例を提示する。ゴルフクラブヘッド１３０００はゴルフクラブヘッド１０００（図１〜図１０）と同様であり得るが、補強構造１３２１０および溝２２５０を持つ溝特徴部１３２００を備えている。補強構造１３２１０は、前補強部分１３２１１と、後補強部分１３２１２、１３２１３、および１３２１４とを含むいくつかの分かれた部分を備えている。前補強部分１３２１１と後補強部分１３２１２、１３２１３、および１３２１４とは、図１〜図１２に関連してここで説明した補強部分と同様であり得るが、溝２２５０に対して他の場所に位置し得る。例えば、前補強部分１３２１１は、本体前端１１３０と溝前端２２５１との間に位置し、一方、後補強部分１３２１２、１３２１３、および１３２１４は、溝後端２２５２と後またはゴルフクラブヘッド１３００との間に位置する。しかしながら、多かれ少なかれ後補強部分を備え得る例があり得る。
【００５３】
図１４は、図３について先に説明した見方と同様の、ゴルフクラブヘッド１４０００の上から底に向かう断面図を示す別の例を提示する。ゴルフクラブヘッド１４０００はゴルフクラブヘッド１０００（図１〜図１０）と同様であり得るが、補強構造１４２１０および溝２２５０を持つ溝特徴部１４２００を備えている。補強構造１４２１０は、溝ヒール端２２５４と本体前端１１３０または本体ヒール端１１６０の一方との間に位置する前ヒール補強区分１４２１１を備えており、溝トゥ端２２５３と本体前端１１３０または本体トゥ端１１５０の少なくとも一方との間に位置する前トゥ補強区分１４２１２も備えている。しかしながら、ここでの例では、前ヒール補強区分１４２１１および前トゥ補強区分１４２１２は、互いから分けられている。例えば、補強構造１４２１０は、溝前端２２５１の大部分の前方にはなくてもよい。別の例として、補強構造１４２１０は、補強厚さ４５２０（図４）と同様の補強厚さを備えてもよく、その場合、このような補強厚さは、他の場所よりも前トゥ補強区分１４２１２および前ヒール補強区分１４２１１においてより大きくなるように変わることができる。
【００５４】
図１５は、ゴルフクラブヘッドを提供するための方法１５０００の流れ図を示す。ある例では、ゴルフクラブヘッドは、ゴルフクラブヘッド１０００（図１〜図１０）、ゴルフクラブヘッド１１０００（図１１）、ゴルフクラブヘッド１２０００（図１２）、ゴルフクラブヘッド１３０００（図１３）、ゴルフクラブヘッド１４０００（図１４）、および／または、それらの変形形態など、先に説明したゴルフクラブヘッドのうちの１つまたは複数と同様であり得る。
【００５５】
方法１５０００のブロック１５１００は、ゴルフクラブヘッドの本体を提供することを含む。ある例では、本体は、図１〜図１４の実施形態に関連して先に説明したような本体１１００と同様であってよく、クラウン１１１０（図１、図２、図４）と同様のクラウンと、ソール１１２０（図１〜図４、図１１〜図１４）と同様のソールとを備え得る。
【００５６】
方法１５０００のブロック１５２００は、本体の本体部分に溝特徴部を提供することを含み、本体部分は、本体のソールまたはクラウンのうちの一方を備える。ある例では、溝特徴部は、溝特徴部２２００（図２〜図６、図９〜図１０）、溝特徴部２３００（図２、図４、図７、図８）、溝特徴部１１２００（図１１）、溝特徴部１２２００（図１２）、溝特徴部１３２００（図１３）、溝特徴部１４２００（図１４）、および／または、それらの変形形態などと同様であり得る。
【００５７】
ブロック１５２００は、１つまたは複数のサブブロックを備え得る。例えば、下位ブロック１５２１０は、溝特徴部の内側溝部分を提供することを含み、溝部分は溝を備える。ある例では、内側溝部分は、内側溝部分２２２０（図２〜図４）、内側溝部分２３２０（図２、図４）、および／または、図１１〜図１４の実施形態の内側溝部分のいずれかと同様であり得る。同じ例または他の例では、溝は、溝２２５０（図２〜図６、図９〜図１４）または溝２３５０（図２、図４、図７、図８）と同様であり得る。溝は、内側溝部分の全体を含んでもよく、または、内側部分壁３２２１（図３、図４）または内側部分壁３３２１（図４）と同様の内側部分壁によって少なくとも一部境界にとされてもよい。
【００５８】
サブブロック１５２２０は、本体部分から突出され、内側溝部分の境界となる補強構造を提供することを含み得る。ある例では、補強構造は、補強構造２２１０（図２〜図４）、補強構造２３１０（図２、図４）、補強構造１１２１０（図１１）、補強構造１２２１０（図１２）、補強構造１３２１０（図１３）、補強構造１４２１０（図１４）、および／または、それらの変形形態と同様であり得る。
【００５９】
方法１５０００の異なるブロックが、単一のブロックに組み合わされ得る、もしくは、同時に実施され得る例、および／または、このようなブロックの順番が変更され得る例があってもよい。例えば、ブロック１５１００および１５２００は、溝特徴部がゴルフクラブヘッドの本体と一体に形成されるなど、同時に行われてもよい。方法１５０００がさらなるブロックまたは異なるブロックを含み得る例があってもよい。例として、方法１５０００は、ゴルフクラブシャフトをゴルフクラブヘッドのホーゼルに結合するための別のブロックを備えてもよい。他の変形形態が、方法１５０００について本開示の範囲から逸脱することなく実施され得る。
【００６０】
溝特徴部を持つゴルフクラブヘッドと、これに関連する方法とが特定の実施形態を参照して説明されたが、様々な変更が、本開示の精神または範囲から逸脱することなく行われ得る。例として、本明細書で説明したものと同様の溝特徴部および／または補強構造は、ゴルフクラブヘッドの内部ではなく外部に、または、内部に加えて外部に、突出してもよい。別の例として、内側溝部分２２２０が、溝２２５０（図３および図４）の境界となる内側部分壁とともに、図３および図４に示されているが、内側部分壁３２２１および／または内側部分厚さ４２２５がこのような実装形態において無くてもよいように、溝２２５０が内側溝部分２２２０の全体を含むことができる例、および／または、溝２２５０が補強内側周辺部３２１１に延び得る例があってもよい。加えて、図１１〜図１４の補強特徴部は、ソール１１２０に関連して示されているが、同様の補強特徴部が、代わりに、または、同様に、クラウン１１１０において実施されてもよい。
【００６１】
追加の例が、前述の説明に提供されている。様々な図の特徴部の１つまたは複数を有する異なる実施形態の他の置き換えが、同様に検討される。したがって、ここでの開示は、例示であるように意図されており、限定するように意図されていない。本出願の範囲は、添付の特許請求の範囲によって要求される範囲だけに限定されることが、意図されている。
【００６２】
本明細書で説明した溝特徴部を持つゴルフクラブヘッドと関連する方法とは、様々な実施形態で実施でき、これらの実施形態のいくつかの先の詳述は、すべての可能な実施形態の完全な説明を必ずしも表していない。むしろ、図の詳細な説明および図自体は、少なくとも１つの好ましい実施形態を開示しており、代替の実施形態を開示してもよい。
【００６３】
ゴルフのルールは時々変わる可能性があるため（例えば、Ｕｎｉｔｅｄ  Ｓｔａｔｅｓ  Ｇｏｌｆ  Ａｓｓｏｃｉａｔｉｏｎ（ＵＳＧＡ）、ｔｈｅ  Ｒｏｙａｌ  ａｎｄ  Ａｎｃｉｅｎｔ  Ｇｏｌｆ  Ｃｌｕｂ  ｏｆ  Ｓｔ．Ａｎｄｒｅｗ（Ｒ＆Ａ）などのゴルフ標準機構および／または運営組織によって、新しい規制が採用され得る、または、古いルールが除外もしくは変更され得る）ため、本明細書で説明された装置、方法、および製造品に関連するゴルフ用具は、任意の特定のときにゴルフのルールに合致できる、または、合致できない。したがって、本明細書で説明された装置、方法、および製造品に関連するゴルフ用具は、合致するゴルフ用具または合致しないゴルフ用具として、宣伝、販売の提供、および／または売却が行われ得る。本明細書で説明された装置、方法、および製造品は、この点において限定されることはない。
【００６４】
上記の例がドライバーの種類のゴルフクラブに関連して説明され得る一方、本明細書で説明された装置、方法、および製造品は、フェアウェーウッド型種類のゴルフクラブ、ハイブリッド型のゴルフクラブ、アイアン型のゴルフクラブ、ウェッジ型のゴルフクラブ、または、パター型のゴルフクラブなど、他の種類のゴルフクラブに適用可能であり得る。代替で、本明細書で説明された装置、方法、および製造品は、ホッケースティック、テニスラケット、釣り竿、スキーのストックなど、他の種類のスポーツ用具に適用可能であり得る。
【００６５】
任意の特定の請求項で請求されるすべての要素は、その特定の請求項で請求される実施形態に必須である。結果として、１つまたは複数の請求された要素の差し替えは、再構築を構成し、修繕を構成しない。さらに、利益、他の利点、および、問題の解決策が、特定の実施形態に関連して説明されている。しかしながら、より顕著に起こる、または、より顕著となる任意の利益、利点、または解決策を引き起こし得る利益、利点、問題の解決策、および、任意の要素は、そのような利益、利点、解決策、または要素がこのような請求項に明示的に述べられていない場合、重大である、要求される、または必須である特徴または要素として解釈されることはない。
【００６６】
さらに、本明細書で開示された実施形態および限定は、実施形態および／または限定が、（１）請求項において明示的に請求されていない場合、および、（２）均等物の原則の下での請求項における明示的な要素および／もしくは限定である、または、そのような要素および／もしくは限定と潜在的に均等である場合、公有の原則において公衆に捧げられるものではない。
本明細書の開示の技術における特徴を列挙する。
（特徴１）
ソール、クラウン、本体ヒール端、本体トゥ端、本体前端、および本体後端を備える本体と、
前記本体の本体部分に位置する溝特徴部と、を備え、
前記本体部分は、前記ソールまたは前記クラウンのうちの一方を備え、
前記溝特徴部は、
溝を備える内側溝部分と、
前記本体部分から突出され、前記内側溝部分の境界となる補強構造と、を備え、
前記補強構造は、
前記内側溝部分と隣接する補強内側周辺部と、
前記補強内側周辺部と反対の補強外側周辺部と、
前記補強内側周辺部と前記補強外側周辺部との間で突出される補強頂部と、を備え、
前記本体部分は、
前記本体部分の外部本体輪郭を画定する本体部分外面と、
前記補強外側周辺部の外側に位置し、前記外部本体輪郭に垂直に測定される最小外側厚さと、を備え、
前記溝特徴部は、
前記外部本体輪郭に垂直に、前記補強頂部から前記外部本体輪郭において測定される補強厚さと、
前記補強厚さに垂直に、前記補強内側周辺部と前記補強外側周辺部との間で測定される補強寸法と、を備え、
前記補強構造は、前記最小外側厚さを越えて前記本体に突出し、
前記補強構造は、前記内側溝部分を越えて前記本体に突出し、
前記補強寸法は、前記最小外側厚さより少なくともおおよそ１．５倍大きいゴルフクラブヘッド。
（特徴２）
前記溝特徴部が前記本体の内部空洞に延びている、特徴１に記載のゴルフクラブヘッド。
（特徴３）
前記本体前端は、非直線打撃面起伏を有する打撃面を備え、
前記補強外側周辺部が、前記本体前端に対向し、前記非直線打撃面起伏と実質的に平行である、特徴１または２に記載のゴルフクラブヘッド。
（特徴４）
前記本体は、シャフト軸を画定するホーゼルと、前記シャフト軸を備えるシャフト軸平面と、を備え、
前記ゴルフクラブヘッドが地平面の上でアドレス状態にあるとき、
前記シャフト軸平面が前記地平面に垂直であり、
前記補強構造の前端、
前記溝の前端、
前記溝の後端、
前記補強構造の後端
のうちの少なくとも１つが、前記シャフト軸平面と前記本体前端との間に位置する、特徴１から３のいずれか一項に記載のゴルフクラブヘッド。
（特徴５）
前記本体の第２の本体部分において第２の溝特徴部をさらに備え、
前記本体部分が前記ソールを備え、
前記第２の本体部分が前記クラウンを備える、特徴１から４のいずれか一項に記載のゴルフクラブヘッド。
（特徴６）
前記本体部分は、前記本体部分の内部本体輪郭を画定する本体部分内面を備え、
前記溝特徴部は、前記外部本体輪郭に垂直に、前記補強頂部から前記内部本体輪郭で測定される構造体厚さを備え、
前記構造体厚さは、前記最小外側厚さのおよそ１００％からおよそ５００％までである、特徴１から５のいずれか一項に記載のゴルフクラブヘッド。
（特徴７）
前記補強寸法は、前記補強厚さのおよそ３３％である、特徴１から６のいずれか一項に記載のゴルフクラブヘッド。
（特徴８）
前記補強寸法は、前記最小外側厚さよりおよそ３倍以下で大きい、特徴１から６のいずれか一項に記載のゴルフクラブヘッド。
（特徴９）
前記補強厚さは、前記最小外側厚さよりおよそ３倍以上で大きい、特徴１から８のいずれか一項に記載のゴルフクラブヘッド。
（特徴１０）
前記補強厚さは、前記最小外側厚さよりおおよそ６倍以下で大きい、特徴１から８のいずれか一項に記載のゴルフクラブヘッド。
（特徴１１）
前記最小外側厚さは、前記外部本体輪郭に垂直に測定され、前記本体前端と前記補強外側周辺部との間に位置する、特徴１から１０のいずれか一項に記載のゴルフクラブヘッド。
（特徴１２）
前記溝特徴部は、前記外部本体輪郭に垂直に測定される前記内側溝部分の内側部分厚さを備え、
前記補強厚さは、前記内側部分厚さより少なくともおよそ５倍大きい、特徴１から１１のいずれか一項に記載のゴルフクラブヘッド。
（特徴１３）
前記溝特徴部は、前記外部本体輪郭に垂直に測定される前記内側溝部分の内側部分厚さを備え、
前記補強寸法は、前記内側部分厚さより少なくともおよそ４倍大きい、特徴１から１１のいずれか一項に記載のゴルフクラブヘッド。
（特徴１４）
前記内側溝部分は、前記溝の境界となる内側部分壁を備え、
前記内側部分壁は、前記外部本体輪郭に垂直に測定される内側部分厚さを備え、
前記補強寸法が、前記内側部分壁の前記内側部分厚さより大きい、特徴１から１１のいずれか一項に記載のゴルフクラブヘッド。
（特徴１５）
前記内側溝部分は、前記溝の境界となる内側部分壁を備え、
前記内側部分壁の外面は、前記外部本体輪郭に沿って延び、前記本体部分外面の一部を備える、特徴１から１３のいずれか一項に記載のゴルフクラブヘッド。
（特徴１６）
前記溝特徴部は、およそ２未満の比重と、およそ９０ショアＡ未満の硬度とを有する溝キャップと、をさらに備え、
前記内側溝部分は、前記溝の境界となる内側部分壁を備え、
前記溝は、前記内側部分壁の外面から前記内側部分壁の内面に延び、
前記溝キャップは、前記溝内に少なくとも一部に位置する、特徴１から１３のいずれか一項に記載のゴルフクラブヘッド。
（特徴１７）
前記補強構造は、前記溝を連続的に包囲する、特徴１から１６のいずれか一項に記載のゴルフクラブヘッド。
（特徴１８）
前記溝は、
前記本体ヒール端に対向する溝ヒール端と、
前記本体トゥ端に対向する溝トゥ端と、
前記本体前端に対向し、前記溝ヒール端から前記溝トゥ端に延ばされる溝前端と、を備え、
前記補強構造は、前記本体前端と前記溝前端との間に位置し、前記溝前端の全体の前方で連続的に延びる、特徴１から１６のいずれか一項に記載のゴルフクラブヘッド。
（特徴１９）
前記溝は、
前記本体ヒール端に対向する溝ヒール端と、
前記本体トゥ端に対向する溝トゥ端と、
前記本体前端に対向し、前記溝ヒール端から前記溝トゥ端に延ばされる溝前端と、を備え、
前記補強構造は、
前記溝ヒール端と前記本体ヒール端との間で、および、
前記溝トゥ端と前記本体トゥ端との間で
延びる、特徴１から１６のいずれか一項に記載のゴルフクラブヘッド。
（特徴２０）
前記溝は、
前記本体ヒール端に対向する溝ヒール端と、
前記本体トゥ端に対向する溝トゥ端と、
前記本体前端に対向し、前記溝ヒール端から前記溝トゥ端に延ばされる溝前端と、
前記本体後端に対向し、前記溝ヒール端から前記溝トゥ端に延ばされる溝後端と、を備え、
前記補強構造は、
前記本体前端と前記溝前端との間に位置し、前記溝前端の全体の前方で連続的に延ばされる前補強部分と、
前記溝後端と前記本体後端との間に位置し、前記前補強部分から不連続である１つまたは複数の後補強部分と、を備える、特徴１から１６のいずれか一項に記載のゴルフクラブヘッド。
（特徴２１）
前記溝は、
前記本体ヒール端に対向する溝ヒール端と、
前記本体トゥ端に対向する溝トゥ端と、
前記本体前端に対向し、前記溝ヒール端から前記溝トゥ端に延ばされる溝前端と、を備え、
前記補強構造は、
前記溝ヒール端と、前記本体前端または前記本体ヒール端の少なくとも一方と、の間で延ばされる前ヒール補強区分と、
前記溝トゥ端と、前記本体前端または前記本体トゥ端の少なくとも一方と、の間で延ばされる前トゥ補強区分と、を備え、
前記補強厚さは、前記前ヒール補強区分および前記前トゥ補強区分において、前記溝前端の前の他の場所より大きい、特徴１から１６のいずれか一項に記載のゴルフクラブヘッド。
（特徴２２）
ソール、クラウン、本体ヒール端、本体トゥ端、本体前端、および本体後端を備える本体と、
前記本体の本体部分における溝特徴部と、を備え、
前記本体部分は、前記ソールまたは前記クラウンのうちの少なくとも一方を備え、
前記溝特徴部は、
溝を備える内側溝部分と、
前記本体部分から突出され、前記内側溝部分の境界となる補強構造と、を備え、
前記補強構造は、
前記内側溝部分と隣接する補強内側周辺部と、
前記補強内側周辺部と反対の補強外側周辺部と、
前記補強内側周辺部と前記補強外側周辺部との間に突出される補強頂部と、を備え、
前記本体部分は、
前記本体部分の外部本体輪郭を画定する本体部分外面と、
前記補強外側周辺部の外側に位置し、前記外部本体輪郭に垂直に測定される最小外側厚さと、を備え、
前記溝特徴部は、前記外部本体輪郭に垂直に、前記補強頂部から前記外部本体輪郭で測定される補強厚さを備え、
前記補強構造は、前記最小外側厚さを越えて前記本体に突出し、
前記補強構造は、前記内側溝部分を越えて前記本体に突出し、
前記補強厚さは、前記最小外側厚さより少なくともおよそ３倍大きいゴルフクラブヘッド。
（特徴２３）
前記溝特徴部は、前記補強厚さに垂直に、前記補強内側周辺部と前記補強外側周辺部との間で測定される補強寸法を備え、
前記補強寸法は、前記補強厚さのおおよそ３３％であり、
前記補強寸法は、前記最小外側厚さより少なくともおおよそ１．５倍大きく、
前記最小外側厚さは、前記外部本体輪郭に垂直に測定され、前記本体前端と前記補強外側周辺部との間に位置し、
前記内側溝部分は、前記溝の境界となる内側部分壁を備え、
前記内側部分壁の外面は、前記外部本体輪郭に沿って延び、前記本体部分外面の一部を備え、
前記溝は、前記内側部分壁の外面から前記内側部分壁の内面に延び、
前記内側部分壁は、前記外部本体輪郭に垂直に測定される内側部分厚さを備え、
前記補強寸法は、前記内側部分厚さより大きく、
前記溝は、
前記本体ヒール端に対向する溝ヒール端と、
前記本体トゥ端に対向する溝トゥ端と、
前記本体前端に対向し、前記溝ヒール端から前記溝トゥ端に延ばされる溝前端と、を備え、
前記補強構造は、前記本体前端と前記溝前端との間に位置し、
前記溝前端の全体の前方で、
前記溝ヒール端と前記本体ヒール端との間で、および、
前記溝トゥ端と前記本体トゥ端との間で
連続的に延び、
前記本体は、シャフト軸を画定するホーゼルと、前記シャフト軸を備えるシャフト軸平面とを備え、
前記ゴルフクラブヘッドが地平面の上でアドレス状態にあるとき、
前記シャフト軸平面が前記地平面に垂直であり、
前記補強構造の前端、
前記溝の前端、
前記溝の後端、
前記補強構造の後端
のうちの少なくとも１つが、前記シャフト軸平面と前記本体前端との間に位置する、特徴２２に記載のゴルフクラブヘッド。
（特徴２４）
ソール、クラウン、本体ヒール端、本体トゥ端、本体前端、および本体後端を備えるゴルフクラブヘッドの本体を提供するステップと、
前記ソールまたは前記クラウンのうちの少なくとも一方を備える前記本体の本体部分に、溝特徴部を提供するステップと、を含み、
前記溝特徴部は、
溝を備える内側溝部分と、
前記本体部分から突出され、前記内側溝部分の境界となる補強構造と、を備え、
前記補強構造は、
前記内側溝部分と隣接する補強内側周辺部と、
前記補強内側周辺部と反対の補強外側周辺部と、
前記補強内側周辺部と前記補強外側周辺部との間に突出される補強頂部と、を備え、
前記本体部分は、
前記本体部分の外部本体輪郭を画定する本体部分外面と、
前記補強外側周辺部の外側に位置し、前記外部本体輪郭に垂直に測定される最小外側厚さと、を備え、
前記溝特徴部は、
前記外部本体輪郭に垂直に、前記補強頂部から前記外部本体輪郭で測定される補強厚さと、
前記補強厚さに垂直に、前記補強内側周辺部と前記補強外側周辺部との間で測定される補強寸法と、を備え、
前記補強構造は、前記最小外側厚さを越えて前記本体に突出し、
前記補強構造は、前記内側溝部分を越えて前記本体に突出し、
前記補強寸法が、前記最小外側厚さより少なくともおおよそ１．５倍大きい方法。
（特徴２５）
前記最小外側厚さは、前記外部本体輪郭に垂直に測定され、前記本体前端と前記補強外側周辺部との間に位置し、
前記内側溝部分は、前記溝の境界となる内側部分壁を備え、
前記内側部分壁の外面は、前記外部本体輪郭に沿って延び、前記本体部分外面の一部を備える、特徴２４に記載の方法。
【図１】
0006563386.tif 000002
【図２】
0006563386.tif 000003
【図３】
0006563386.tif 000004
【図４】
0006563386.tif 000005
【図５】
0006563386.tif 000006
【図６】
0006563386.tif 000007
【図７】
0006563386.tif 000008
【図８】
0006563386.tif 000009
【図９】
0006563386.tif 000010
【図１０】
0006563386.tif 000011
【図１１】
0006563386.tif 000012
【図１２】
0006563386.tif 000013
【図１３】
0006563386.tif 000014
【図１４】
0006563386.tif 000015
【図１５】
0006563386.tif 000016